(57)【要約】【課題】戸袋を構成する戸袋ユニットにおいて、戸袋を適切に構成させながら引き戸の着脱を容易に行えるようにする。【解決手段】壁内面間を引き戸Ｄの引き込み空間Ｂａとする内外の壁体１、１’と、この内外の壁体１、１’の一方に対しヒンジ部材３を介してこの内外の壁体１、１’の他方から離れる向きの回動可能に組み合わされると共に、この回動前の位置においてその自由端２ａにより内外の壁体１、１’の他方の端部と一緒に戸袋Ｂの開口部Ｂｂを形成する開口部形成部材２とを備えてなる。【選択図】図３
2011163089.tif 000002
【特許請求の範囲】
【請求項１】
壁内面間を引き戸の引き込み空間とする内外の壁体と、
この内外の壁体の一方に対しヒンジ部材を介してこの内外の壁体の他方から離れる向きの回動可能に組み合わされると共に、この回動前の位置においてその自由端により内外の壁体の他方の端部と一緒に戸袋の開口部を形成する開口部形成部材とを備えてなることを特徴とする戸袋ユニット。
【請求項２】
開口部形成部材が内部空間を持つように構成されていることを特徴とする請求項１に記載の戸袋ユニット。
【請求項３】
開口部形成部材に収納部が形成されていることを特徴とする請求項１に記載の戸袋ユニット。
【発明の詳細な説明】
【技術分野】
【０００１】
この発明は、建物における引き戸の設置箇所に備え付けられて、この設置箇所に設置される引き戸の戸袋を構成する戸袋ユニットに関する。
【背景技術】
【０００２】
住宅の通路となる開放部１００（開口部）を塞ぐ引き戸Ｄを、図８に示される戸袋Ｂに納めるようにする場合がある。図中符号１０１は方立である。戸袋は内外の壁体１０２、１０２により構成される。一方の壁体１０２の端部には引き出された引き戸の後端を隠す部材１０３が開放部１００の高さ方向に亘って取り付けられる。しかるに、この在来の手法では、引き戸Ｄの着脱にあたっては、壁体１０２の端部に釘などにより止着された前記部材１０３の取り外しを不可避とする不都合があった。
【発明の概要】
【発明が解決しようとする課題】
【０００３】
この発明が解決しようとする主たる問題点は、この種の戸袋を構成する戸袋ユニットにおいて、戸袋を適切に構成させながら引き戸の着脱を容易に行えるようにする点にある。
【課題を解決するための手段】
【０００４】
前記課題を達成するために、この発明にあっては、戸袋ユニットを、壁内面間を引き戸の引き込み空間とする内外の壁体と、この内外の壁体の一方に対しヒンジ部材を介してこの内外の壁体の他方から離れる向きの回動可能に組み合わされると共に、この回動前の位置においてその自由端により内外の壁体の他方の端部と一緒に戸袋の開口部を形成する開口部形成部材とを備えてなるものとした。
【０００５】
かかる戸袋ユニットによれば、前記回動前の位置に開口部形成部材を位置づけた状態において、この開口部形成部材により戸袋から引き出された引き戸の後端側を隠すことができる。また、この回動前の位置から開口部形成部材を回動させることで、戸袋から引き出された引き戸を容易に取り外すことができる。かかる開口部形成部材を内部空間を持つように構成させておけば、この内部空間を利用して各種の配線を開口部形成部材内に導入することができ、これにより開口部形成部材にコンセントやスイッチを配置させることができる。また、かかる開口部形成部材に収納部を形成させておけば、戸袋の一部に収納機能を都合良く持たせることができる。
【発明の効果】
【０００６】
この発明にかかる戸袋ユニットによれば、建物における引き戸の設置箇所に戸袋を適切に構成させながらこの引き戸の着脱を容易に行なうことができる。
【図面の簡単な説明】
【０００７】
【図１】図１は戸袋ユニットにより構成された戸袋を含んで構成された出入り口の正面構成図である。
【図２】図２は戸袋ユニットを構成する開口部形成部材の分解斜視構成図である。
【図３】図３は戸袋ユニットにより構成された戸袋の横断面構成図であり、開口部形成部材は回動前の位置にある。
【図４】図４は戸袋ユニットにより構成された戸袋の横断面構成図であり、開口部形成部材は展開位置にある。
【図５】図５は図４の状態において開口部形成部材を図４の左側から見て示した側面構成図である。
【図６】図６は図１〜図５に示される戸袋ユニットの構成の一部を変更させた戸袋ユニットを構成する開口部形成部材の分解斜視構成図である。
【図７】図７は図６の開口部形成部材が展開位置にある状態を示した側面構成図である。
【図８】図８は従来の戸袋の横断面構成図である。
【発明を実施するための形態】
【０００８】
以下、図１〜図７に基づいて、この発明の典型的な実施の形態について、説明する。この実施の形態にかかる戸袋ユニットは、建物における引き戸Ｄの設置箇所に備え付けられて、この設置箇所に設置される引き戸Ｄの戸袋を構成するものである。
【０００９】
かかる戸袋ユニットは、内外の壁体１、１’と、開口部形成部材２とを備えてなる。
【００１０】
内外の壁体１、１’の壁内面間が引き戸Ｄの引き込み空間Ｂａとなる。すなわち、内外の壁体１、１’は、その高さ方向の端部の一方を、前記設置箇所を構成する左右の方立部材Ｐの一方に接しさせた状態で、この設置箇所内に備え付けられる。内外の壁体１、１’の高さ方向の端部１ａの他方側と左右の方立部材Ｐの他方との間が一枚の引き戸Ｄにより閉鎖される建物の開放部Ｏ、典型的には出入り口Ｏ’となる。
【００１１】
前記開口部形成部材２は、かかる内外の壁体１、１’の一方に対しヒンジ部材３を介してこの内外の壁体１、１’の他方から離れる向きの回動可能に組み合わされると共に、この回動前の位置においてその自由端２ａにより内外の壁体１、１’の他方の端部と一緒に戸袋Ｂの開口部Ｂｂを形成する。
【００１２】
かかる内外の壁体１、１’の他方（図３において上側に位置される壁体１’）は、前記設置箇所を構成する左右の方立部材Ｐ、Ｐ間の距離の略半分の横幅寸法を持つように構成される。これに対して、かかる内外の壁体１、１’の一方（図３において下側に位置される壁体１）は、他方の壁体１’の横幅寸法より左右寸法を小さくしている。この一方の壁体１の横幅寸法と、前記回動前の位置にある開口部形成部材２の横幅寸法とを加算した寸法が、前記他方の壁体１’の横幅寸法と略一致するようになっている。（図３）
【００１３】
内外の壁体１、１’はそれぞれ、外側板体１ｂと内側板体１ｃと芯材１ｄとを組み合わせて構成されている。内側板体１ｃは引き込み空間Ｂａに面し、外側板体１ｂは出入り口Ｏ’を巡る壁Ｗの一部となる。（図１）内外の壁体１、１’の左右の端部１ａ、１ａにおいてはそれぞれ、内側板体１ｃと外側板体１ｂ間に芯材１ｄが配置されている。内外の壁体１、１’の中間部にも必要に応じて芯材が配される。
【００１４】
開口部形成部材２は、この実施の形態にあっては、前記回動前の位置において一方の壁体１の壁内面と同面となる内面部２ｂと、この内面部２ｂとの間に内部空間２ｆを形成させる外面部２ｃと、この内面部２ｂと外面部２ｃとの間に亘る左右側面部２ｅ、２ｅとを備えた上下方向に長い角筒状をなすように構成されている。これら各面部２ｂ、２ｃ、２ｅは前記建物の開放部Ｏの高さに亘る板材から構成されている。すなわち、開口部形成部材２は内部空間２ｆを備えている。
【００１５】
外面部２ｃは内面部２ｂよりも横幅寸法が大きく、外面部２ｃは前記自由端２ａと反対の側にある側面部２ｅよりも先に延び出す延長部２ｇを持っている。一方、前記一方の壁体１における戸袋Ｂの開口部Ｂｂ側に位置される端部１ａには、芯材１ｄに一面を止着させてこの一方の壁体１の外側板体１ｂよりも前方に突き出す接続板体１ｅが備えられている。そして、この実施の形態にあっては、開口部形成部材２の外面部２ｃの延長部２ｇと、接続板体１ｅとを、ヒンジ部材３により接続させている。図示の例では、上下方向に間隔を開けた三箇所にそれぞれヒンジ部材３を設けている。この例では、かかるヒンジ部材３をスライド丁番３’としている。すなわち、スライド丁番３’の回転軸を挟んだ一方側ヒンジ要素３ｂを延長部２ｇの内面に、他方側ヒンジ要素３ａを接続板体１ｅの芯材１ｄへの止着側と反対の面に、それぞれ固定させている。このスライド丁番３’により前記回動前の位置において、延長部２ｇが接続板体１ｅの前端１ｆの前方に位置してこれを被うようになっている。開口部形成部材２は、この回動前の位置（図３）から、延長部２ｇの端面を接続板体１ｅの前端１ｆに突き当てる、略９０度前方に回動した展開位置（図４）まで、スライド丁番３’により回動できるようになっている。図示の例では、かかるスライド丁番３’は前記回動前の位置と展開位置との中間の所定回動位置において最も付勢力を蓄勢するように構成された図示しないバネを備えており、このバネの付勢力によって、前記回動前の位置にある開口部形成部材２は展開位置に向けて格別の操作をしない限りは回動し難く、また、前記展開位置にある開口部形成部材２は回動前の位置に向けて格別の操作をしない限りは回動し難くなっている。すなわち、この実施の形態にあっては、かかるスライド丁番３’が開口部形成部材２の回動前の位置にある状態を解除可能に維持するストッパ部材として機能するようになっている。開口部形成部材２が回動前の位置にある状態はこの開口部形成部材２の上下にフランス落としなどの別途のストッパ部材を備えさせてより強固に維持するようにしておいても良い。
【００１６】
図示の例では、前記接続板体１ｅにより、開口部形成部材２の備え付けられた一方の壁体１の剛性が高められている。図示の例では、他方の壁体１’の戸袋Ｂの開口部Ｂｂ側の端部１ａにも補強部材１ｈが取り付けられている。また、接続板体１ｅにおける芯材１ｄへの止着側と反対の面には、回動前の位置にある開口部形成部材２の一方の側面部２ｅが突き当たる当接部材１ｇが備えられている。図２中、符号２ｈで示すのは、開口部形成部材２の上端及び下端を化粧するエンドプレートである。
【００１７】
この実施の形態にかかる戸袋ユニットによれば、前記回動前の位置に開口部形成部材２を位置づけた状態において、この開口部形成部材２により戸袋Ｂから引き出された引き戸Ｄの後端側を隠すことができる。また、この回動前の位置から開口部形成部材２を回動させることで、戸袋Ｂから引き出された引き戸Ｄを容易に取り外すことができる。すなわち、前記一方の壁体１の接続板体１ｅと左右の方立部材Ｐの他方との間の距離は引き戸Ｄの横幅寸法と略等しいか、これより大きくなるようにしてある。この実施の形態にあっては、開口部形成部材２は、内部空間２ｆを持つように構成されていることから、この内部空間２ｆを利用して各種の配線を開口部形成部材２内に導入することができ、これにより開口部形成部材２にコンセント４やスイッチ５を配置させることができる。図示の例では、開口部形成部材２の外面部２ｃにコンセント４とスイッチ５を配置させている。典型的には、部屋内に開口部形成部材２が面するように、部屋の出入り口Ｏ’に戸袋ユニットを備え付ける。
【００１８】
図６及び図７に示される例では、開口部形成部材２にさらに収納部２ｉを形成させている。この例では、開口部形成部材２の上下方向略中程の位置において、外面部２ｃの一部を取り除くようにして窓状部２ｄを形成させると共に、この窓状部２ｄに内部を連通させる前面開放のボックス体２ｊにより開口部形成部材２の中間部を形成することで、このボックス体２ｊによって前記収納部２ｉを形成させている。この例では、構成される戸袋Ｂの一部に収納機能を都合良く持たせることができる。
【符号の説明】
【００１９】
Ｂ  戸袋
Ｂｂ  開口部
Ｄ  引き戸
１  壁体
１’  壁体
２  開口部形成部材
２ａ  自由端
３  ヒンジ部材
【図１】
2011163089.tif 000003
【図２】
2011163089.tif 000004
【図３】
2011163089.tif 000005
【図４】
2011163089.tif 000006
【図５】
2011163089.tif 000007
【図６】
2011163089.tif 000008
【図７】
2011163089.tif 000009
【図８】
2011163089.tif 000010